(57)【要約】【課題】複数の画像データに基づく各画像を一覧表示する際に、それらの画像が静止画像であるか動画像であるかを確実に判別し得る画像再生装置を提供する。【解決手段】メモリカード４に記憶されている複数の画像データを読み出して各画像データに基づく各画像を表示部２０の複数の区画内にそれぞれ表示させる一覧表示処理を実行する画像処理部１７を備え、画像処理部１７は、画像が動画像のときに、動画像から静止画像として抽出した複数の抽出画像を１つの区画内において表示位置を移動させつつ表示させる移動表示処理を一覧表示処理において実行する。【選択図】図１
2006222510.tif 000002
【特許請求の範囲】
【請求項１】
記憶部に記憶されている複数の画像データを読み出して当該各画像データに基づく各画像を表示部の複数の区画内にそれぞれ表示させる一覧表示処理を実行する制御部を備えた画像再生装置であって、
前記制御部は、前記画像が動画像のときに、前記動画像から静止画像として抽出した複数の抽出画像を前記複数の区画のうちの１つの中において表示位置を移動させつつ表示させる移動表示処理を前記一覧表示処理において実行する画像再生装置。
【請求項２】
前記制御部は、前記抽出画像の抽出時において、前記抽出の対象画像が動画像である旨を示す文字、図形および記号の少なくとも１つを前記複数の区画のうちの１つの中に表示させる請求項１記載の画像再生装置。
【請求項３】
前記抽出画像についての抽出画像データを記憶する抽出画像データ記憶部を備え、
前記制御部は、前記移動表示処理において処理対象とする前記抽出画像データが前記抽出画像データ記憶部に記憶されているときに、前記抽出画像データを読み出して前記移動表示処理を実行する請求項１または２記載の画像再生装置。
【請求項４】
前記制御部は、前記動画像についての画像データの生成日時およびデータサイズの少なくとも一方を示す文字列を含むデータ名を前記抽出画像データに付与して前記抽出画像データ記憶部に記憶させる請求項３記載の画像再生装置。
【請求項５】
記憶部に記憶されている複数の画像データを読み出して当該各画像データに基づく各画像を表示部の複数の区画内にそれぞれ表示させる一覧表示処理を制御部に実行させる画像再生プログラムであって、
前記画像が動画像のときに、前記動画像から複数の抽出画像を静止画像として前記制御部に抽出させると共に、前記各抽出画像を前記複数の区画のうちの１つの中において表示位置を移動させつつ表示させる移動表示処理を前記一覧表示処理において前記制御部に実行させる画像再生プログラム。
【発明の詳細な説明】
【技術分野】
【０００１】
本発明は、一覧表示処理を実行する制御部を備えた画像再生装置、および制御部に一覧表示処理を実行させる画像再生プログラムに関するものである。
【背景技術】
【０００２】
この種の装置として、特開平１１−１２０３５３号公報に開示された画像表示装置が知られている。この画像表示装置は、動画データに基づく動画像の中から複数の代表画像を抽出する代表画像抽出部と、代表画像抽出部によって抽出された各代表画像を静止画像に変換する静止画像変換部と、静止画像変換部によって変換された各静止画像を複数に分割した各区画に配置した状態で１枚の静止画像に合成する代表画像合成部と、静止画像データに基づく静止画像および代表画像合成部によって合成された静止画像を表示する表示部とを備えている。この画像表示装置では、保存されている画像データに基づいて複数の画像を一覧表示する際に、動画像データに基づく画像が合成された静止画像で表示され、静止画像データに基づく画像が分割されていない通常の静止画像で表示される。このため、元の画像が動画であるか静止画であるかを判別することが可能となっている。
【特許文献１】特開平１１−１２０３５３号公報（第３頁、第２図）
【発明の開示】
【発明が解決しようとする課題】
【０００３】
ところが、上記の画像表示装置には、以下の問題点がある。すなわち、この画像表示装置では、画像データに基づいて複数の画像を一覧表示する際に、静止画像データに基づく画像、および動画像データに基づく画像のいずれもが、動きのない静止画像で表示される。このため、例えば、動画像データに基づいて合成された静止画像が込み入った画像であるときには、その合成された静止画像が複数の静止画像を合成したものであるか、もともとそのような静止画像（通常の静止画像）であるかを判別するのが困難となる結果、一覧表示された各画像の元画像が動画であるか静止画であるかを判別するのが困難となる。この場合、例えば、通常の静止画像を表示画面における上下方向の各行に１つずつ表示し、動画から抽出した複数の画像（上記の各代表画像）を表示画面の１行に通常の静止画像と同じ大きさで連続的に並べて表示する方法も考えられる。しかしながら、この方法では、表示画面内に無駄なスペースが生じるため、見難いという問題点が生じる。また、上記の画像表示装置では、静止画像変換部や代表画像合成部による処理が終了するまで合成された静止画像が表示されないため、各画像のスムーズな一覧表示が困難となっている。
【０００４】
本発明は、かかる問題点に鑑みてなされたものであり、複数の画像データに基づく各画像を一覧表示する際に、それらの画像が静止画像であるか動画像であるかを確実に判別し得る画像再生装置および画像再生プログラムを提供することを主目的とする。また、スムーズな一覧表示を実現し得る画像再生装置を提供することを他の目的とする。
【課題を解決するための手段】
【０００５】
上記目的を達成すべく本発明に係る画像再生装置は、記憶部に記憶されている複数の画像データを読み出して当該各画像データに基づく各画像を表示部の複数の区画内にそれぞれ表示させる一覧表示処理を実行する制御部を備えた画像再生装置であって、前記制御部は、前記画像が動画像のときに、前記動画像から静止画像として抽出した複数の抽出画像を前記複数の区画のうちの１つの中において表示位置を移動させつつ表示させる移動表示処理を前記一覧表示処理において実行する。
【０００６】
また、本発明に係る画像再生プログラムは、記憶部に記憶されている複数の画像データを読み出して当該各画像データに基づく各画像を表示部の複数の区画内にそれぞれ表示させる一覧表示処理を制御部に実行させる画像再生プログラムであって、前記画像が動画像のときに、前記動画像から複数の抽出画像を静止画像として前記制御部に抽出させると共に、前記各抽出画像を前記複数の区画のうちの１つの中において表示位置を移動させつつ表示させる移動表示処理を前記一覧表示処理において前記制御部に実行させる。
【０００７】
この画像再生装置および画像再生プログラムでは、一覧表示処理において、記憶部から読み出した画像データに基づく画像が動画像のときに、制御部に移動表示処理を実行させる。このため、画像データに基づく画像が動画像のときには、動画像から抽出した複数の抽出画像を表示部の１つの区画内において表示位置を移動させつつ表示させることができる結果、複数の画像を一覧表示させた際に、動画像と静止画像とを明確に識別可能に視認させることができる。したがって、この画像再生装置および画像再生プログラムによれば、一覧表示させた各画像が動画像であるか静止画像であるかを確実かつ容易に判別させることができる。
【０００８】
また、本発明に係る画像再生装置は、上記の画像再生装置において、前記制御部は、前記抽出画像の抽出時において、前記抽出の対象画像が動画像である旨を示す文字、図形および記号の少なくとも１つを前記複数の区画のうちの１つの中に表示させる。
【０００９】
この画像再生装置では、抽出画像の抽出時において、抽出の対象画像が動画像である旨を示す文字、図形および記号の少なくとも１つを区画内に表示させる。このため、抽出画像の抽出に多くの時間を要したとしても、抽出の対象画像が動画像であることを確実かつ容易に認識させることができる。
【００１０】
また、本発明に係る画像再生装置は、上記の画像再生装置において、前記抽出画像についての抽出画像データを記憶する抽出画像データ記憶部を備え、前記制御部は、前記移動表示処理において処理対象とする前記抽出画像データが前記抽出画像データ記憶部に記憶されているときに、前記抽出画像データを読み出して前記移動表示処理を実行する。
【００１１】
この画像再生装置では、移動表示処理の処理対象とする抽出画像データが抽出画像データ記憶部に記憶されているときに、制御部がその抽出画像データを読み出して移動表示処理を実行する。このため、抽出画像を抽出する処理と、移動表示処理とを同時に実行するのと比較して各抽出画像を短時間で表示させることができる。
【００１２】
また、本発明に係る画像再生装置は、上記の画像再生装置において、前記制御部は、前記動画像についての画像データの生成日時およびデータサイズの少なくとも一方を示す文字列を含むデータ名を前記抽出画像データに付与して前記抽出画像データ記憶部に記憶させる。
【００１３】
この画像再生装置では、元となる動画像データの生成日時およびデータサイズの少なくとも一方を示す文字列を含むデータ名を抽出画像データに付与する。このため、移動表示処理の処理対象とする動画像についての画像データの生成日時やデータサイズと、抽出画像データのデータ名とを照合することで、その動画像に対応する抽出画像データが抽出画像データ記憶部に記憶されているか否かを確実かつ容易に特定することができる。
【発明を実施するための最良の形態】
【００１４】
以下、本発明に係る画像再生装置の最良の形態について、添付図面を参照して説明する。図１に示すリアプロジェクションテレビ（以下、単に「テレビ」ともいう）１は、本発明に係る画像再生装置を組み込んだテレビの一例であって、テレビ放送画像（例えば、図２に示すテレビ放送画像Ｇｔ）を表示可能に構成されている。また、テレビ１は、例えばデジタルカメラ等によって撮影された画像（例えば、図３に示す撮影画像Ｇｓ１）を表示可能に構成されている。具体的には、テレビ１は、図１に示すように、本体部２およびリモコン３を備えている。本体部２は、放送受信部１１、切替器１２、ビデオデコーダ１３、メモリカードスロット１４、メモリカードコントローラ１５、ＪＰＥＧ／ＭＰＥＧデコーダ１６、画像処理部１７、抽出画像データ記憶部１８、素子駆動部１９、表示部２０、キー入力処理部２１、ＲＯＭ２２および主制御部２３を備えている。この場合、メモリカードスロット１４、メモリカードコントローラ１５、ＪＰＥＧ／ＭＰＥＧデコーダ１６、画像処理部１７、抽出画像データ記憶部１８、ＲＯＭ２２および主制御部２３によって本発明に係る画像再生装置が構成される。なお、テレビ１は、実際には、音声出力部を備えて各種音声を出力可能に構成されているが、本発明の理解を容易とするため、その図示および説明を省略する。
【００１５】
放送受信部１１は、テレビ放送を受信すると共に、主制御部２３によって指定されたチャンネルの画像信号Ｓｂ１を画像処理部１７に出力する。切替器１２は、主制御部２３の制御に従い、コンポジット端子４１ａ、Ｓ端子４１ｂ、コンポーネント端子４１ｃおよびＤ端子４１ｄ等の各種信号入力端子を介して入力した画像信号のうちの１つを選択して出力する。ビデオデコーダ１３は、切替器１２から出力される画像信号をデコードして画像信号Ｓｂ２として出力する。メモリカードスロット１４は、テレビ１の正面パネルに形成された挿入口２ａ（図２参照）から挿入されたメモリカード４（同図参照）を接続可能に構成されている。この場合、メモリカード４は、本発明における記憶部に相当し、一例として、ＪＰＥＧ形式の静止画像データやＭＰＥＧ形式の動画像データ等を記録（記憶）可能に構成された汎用性を有する情報記録媒体であって、各種の電子機器（例えば、テレビ１やデジタルカメラ）の間でデータの受け渡しをする際に用いられる。メモリカードコントローラ１５は、主制御部２３の制御に従い、メモリカード４に記録されている画像データを読み出してＪＰＥＧ／ＭＰＥＧデコーダ１６に出力する。ＪＰＥＧ／ＭＰＥＧデコーダ１６は、メモリカードコントローラ１５から出力されたＪＰＥＧ形式の静止画像やＭＰＥＧ形式の動画像の画像データをデコードすることにより、画像信号Ｓｂ３を生成して画像処理部１７に出力する。
【００１６】
画像処理部１７は、主制御部２３の制御に従い、放送受信部１１、ビデオデコーダ１３およびＪＰＥＧ／ＭＰＥＧデコーダ１６からそれぞれ出力されている画像信号Ｓｂ１，Ｓｂ２，Ｓｂ３（以下、区別しないときには「画像信号Ｓｂ」ともいう）に基づき、表示部２０に画像を表示させるための表示用画像信号Ｓｅを生成して素子駆動部１９に出力する。また、画像処理部１７は、メモリカード４に記録（記憶）されている画像データに基づく画像の一覧表示（サムネイル表示）が指示されたときには、主制御部２３の制御に従って後述する一覧表示処理６０を実行する。この場合、画像処理部１７は、メモリカード４に記録されている画像データが動画像の画像データ（以下、「動画像データ」ともいう）であるときには、一覧表示処理６０において、後述する移動表示処理７０を実行する。また、画像処理部１７は、後述するように、一覧表示処理６０において生成した抽出画像データを抽出画像データ記憶部１８に記憶させる。抽出画像データ記憶部１８は、画像処理部１７の制御に従って抽出画像データを記憶する。素子駆動部１９は、画像処理部１７から出力された表示用画像信号Ｓｅに基づき、表示部２０の光学エンジン３１（図１参照）を駆動するための駆動信号Ｓｄを生成する。
【００１７】
表示部２０は、図１に示すように、光学エンジン３１およびスクリーン３２を備えている。光学エンジン３１は、素子駆動部１９から出力された駆動信号Ｓｄに基づいて変調した投射光Ｌをスクリーン３２に投射する。具体的には、光学エンジン３１は、例えば、光源と、光変調素子（一例として、デジタルマイクロミラーデバイスや液晶ライトバルブ）と、投射レンズ（いずれも図示せず）とを備えている。スクリーン３２は、光学エンジン３１から投射された投射光Ｌを受光して画像を表示する。キー入力処理部２１は、受光部を備えて構成されて、リモコン３から出力された赤外線信号Ｓｉを受光して光電変換することにより、リモコン３による操作内容を示す操作信号Ｓｏを主制御部２３に出力する。
【００１８】
ＲＯＭ２２は、例えば、不揮発性メモリで構成されて、本発明に係る画像再生プログラムを含む主制御部２３の作動用のプログラムＰｒを記録する。主制御部２３は、画像処理部１７と共に本発明における制御部を構成し、ＲＯＭ２２に記録されているプログラムＰｒに従って作動する。また、主制御部２３は、キー入力処理部２１から出力された操作信号Ｓｏに従い、放送受信部１１、切替器１２、ビデオデコーダ１３、メモリカードコントローラ１５、ＪＰＥＧ／ＭＰＥＧデコーダ１６、画像処理部１７および素子駆動部１９を制御する。
【００１９】
リモコン３は、図２に示すように、本体部２とは別体に形成されている。また、リモコン３は、電源スイッチ５１、チャンネルスイッチ５２，５２・・、画像信号切替スイッチ５３、表示切替スイッチ５４およびカーソルキー５５などの各種スイッチが配列されて構成され、これらのスイッチが操作されたときに、各スイッチおよびキーに対応する赤外線信号Ｓｉを出力する。
【００２０】
次に、テレビ１の全体的な動作について、図面を参照して説明する。このテレビ１では、リモコン３の電源スイッチ５１が操作されたときに、主制御部２３が、ＲＯＭ２２からプログラムＰｒを読み出して作動する。また、表示部２０の光学エンジン３１に電源が供給されて、光源が発光する。次に、主制御部２３は、放送受信部１１を制御して、直前の電源切断時に選局されていたチャンネル（例えば、チャンネルＣＨ３）の画像信号Ｓｂ１を画像処理部１７に出力させる。次いで、画像処理部１７が、主制御部２３の制御に従い、画像信号Ｓｂ１に基づく表示用画像信号Ｓｅを素子駆動部１９に出力する。続いて、素子駆動部１９が、主制御部２３の制御に従い、表示用画像信号Ｓｅに基づく駆動信号Ｓｄを表示部２０の光学エンジン３１に出力する。これに応じて、光学エンジン３１が光源からの光を駆動信号Ｓｄに基づいて投射光Ｌに変調して、スクリーン３２に投射する。これにより、図２に示すように、チャンネルＣＨ３のテレビ放送画像Ｇｔがスクリーン３２に表示される。
【００２１】
一方、テレビ放送画像Ｇｔに代えて、例えば、ＶＴＲ等の外部機器から出力されてコンポジット端子４１ａを介して入力した画像信号に基づく画像を表示させるときには、リモコン３の画像信号切替スイッチ５３を操作する。この際に、リモコン３が、画像信号切替スイッチ５３に対応する赤外線信号Ｓｉを出力し、キー入力処理部２１が、赤外線信号Ｓｉを受光して操作信号Ｓｏを出力する。次いで、主制御部２３は、操作信号Ｓｏに従って切替器１２を制御して、コンポジット端子４１ａを介して入力した画像信号をビデオデコーダ１３に出力させる。続いて、ビデオデコーダ１３が、切替器１２から出力された画像信号をデコードして画像信号Ｓｂ２を出力し、画像処理部１７が、画像信号Ｓｂ２に基づく表示用画像信号Ｓｅを出力する。次に、素子駆動部１９が、表示用画像信号Ｓｅに基づく駆動信号Ｓｄを光学エンジン３１に出力することにより、ＶＴＲから出力された画像信号に基づく画像がスクリーン３２に表示される。
【００２２】
また、例えば、デジタルカメラで撮影した撮影画像の画像データが記録されているメモリカード４を用いて、その撮影画像をテレビ１に表示させるときには、図２に示すように、メモリカード４を正面パネルの挿入口２ａからメモリカードスロット１４に挿入する。次いで、リモコン３の画像信号切替スイッチ５３を操作する。この際に、主制御部２３は、操作信号Ｓｏに従ってメモリカードコントローラ１５を制御して、メモリカード４に記録されている画像データを読み出させてＪＰＥＧ／ＭＰＥＧデコーダ１６に出力させる。この場合、主制御部２３は、メモリカード４に複数の画像データが記録されているときには、例えば、記録日時（撮影日時）が最も新しい画像データを読み出させるように、メモリカードコントローラ１５を制御する。続いて、ＪＰＥＧ／ＭＰＥＧデコーダ１６が、画像データをデコードして画像信号Ｓｂ３を出力する。次に、画像処理部１７が、画像信号Ｓｂ３に基づく表示用画像信号Ｓｅを出力し、素子駆動部１９が、表示用画像信号Ｓｅに基づく駆動信号Ｓｄを光学エンジン３１に出力することにより、図３に示すように、撮影画像Ｇｓ１がスクリーン３２に表示される。
【００２３】
次いで、メモリカード４に記録されている複数の画像データに基づく各画像を一覧表示させるときには、リモコン３の表示切替スイッチ５４を操作する。この際に、主制御部２３は、操作信号Ｓｏに従ってメモリカードコントローラ１５を制御して、メモリカード４に記録されている各画像データの中から、例えば、記録日時の新しい順に所定数（一例として、９つ）の画像データを読み出させてＪＰＥＧ／ＭＰＥＧデコーダ１６に出力させる。続いて、ＪＰＥＧ／ＭＰＥＧデコーダ１６が、各画像データをデコードして各画像信号Ｓｂ３を出力する。次に、主制御部２３は、図５示す一覧表示処理６０を画像処理部１７に実行させる。この一覧表示処理６０では、画像処理部１７は、ＪＰＥＧ／ＭＰＥＧデコーダ１６から出力された各画像信号Ｓｂ３に動画像データをデコードした信号が含まれているか否か、つまりメモリカード４から読み出された各画像データの中にＭＰＥＧなどの動画像データが含まれているか否かを判別する（ステップ６１）。この場合、各画像信号Ｓｂ３が全て静止画像の画像データ（以下、「静止画像データ」ともいう）をデコードした信号であるときには、画像処理部１７は、各画像信号Ｓｂ３に基づいて一覧表示用の表示用画像信号Ｓｅを出力する（ステップ６２）。次いで、素子駆動部１９が、表示用画像信号Ｓｅに基づく駆動信号Ｓｄを光学エンジン３１に出力することにより、図４に示すように、一覧表示画像Ｇａ１がスクリーン３２に表示される。この場合、この一覧表示画像Ｇａ１では、スクリーン３２における９つの区画Ｓ１〜Ｓ９（以下、区別しないときには「区画Ｓ」ともいう）内に９つの撮影画像Ｇｓ１〜Ｇｓ９（以下、撮影画像の内容を区別しないときには「撮影画像Ｇｓ」ともいう）がそれぞれ表示されている。
【００２４】
続いて、上記した９つの画像データに次いで記録日時の新しい９つの画像データに基づく画像を一覧表示させるときには、例えば、リモコン３におけるカーソルキー５５の下向き矢印キー（図２参照）を操作する。この際に、主制御部２３は、操作信号Ｓｏに従い、上記と同様にしてメモリカードコントローラ１５、ＪＰＥＧ／ＭＰＥＧデコーダ１６を制御して、次の９つの画像データをそれぞれデコードした各画像信号Ｓｂ３を出力させると共に、画像処理部１７に上記の一覧表示処理６０を実行させる。この場合、各画像信号Ｓｂ３の中に動画像データをデコードした信号が例えば１つ含まれているときには、画像処理部１７は、ステップ６１においてその旨を判別して、図６に示す移動表示処理７０を実行する（ステップ６３）。
【００２５】
この移動表示処理７０では、画像処理部１７は、抽出画像データ記憶部１８に抽出画像データ（これについては後述する）が記憶されているか否かを判別する（ステップ７１）。この場合、初期状態では、抽出画像データが記憶されていないため、画像処理部１７は、動画像データをデコードした画像信号Ｓｂ３に基づき、複数の場面（一例として、動画像の先頭から１秒毎に６つの場面）を複数の静止画像として動画像データから抽出して（以下、抽出した静止画像を「抽出画像Ｇｃ」ともいう）、抽出画像Ｇｃについての抽出画像データを生成する（ステップ７２）。次に、画像処理部１７は、抽出画像データ、および静止画像データをデコードした画像信号Ｓｂ３に基づいて一覧表示用の表示用画像信号Ｓｅを生成して出力する（ステップ７３）。
【００２６】
この場合、画像処理部１７は、ステップ７２およびステップ７３において、具体的には、次のように動作する。まず、最初の抽出画像Ｇｃの抽出を開始して終了するまでの間において、図７の左上図に示すように、抽出対象の元の画像（以下、「元画像」ともいう）が動画像である旨を示す例えばカメラ型のアイコンＧｉを、動画像についての抽出画像Ｇｃを表示すべき所定の１つの区画Ｓの中央部に表示させる表示用画像信号Ｓｅを出力する。次に、画像処理部１７は、１枚目の抽出画像Ｇｃ（同図に示す抽出画像Ｇｃ１）を抽出したときに、同図の右上図に示すように、区画Ｓにおける左上の位置Ａに抽出画像Ｇｃ１を表示させると共に、区画Ｓにおける右上の位置Ｂ、左下の位置Ｃおよび右下の位置ＤにアイコンＧｉをそれぞれ表示させる表示用画像信号Ｓｅを出力する。次いで、画像処理部１７は、２枚目の抽出画像Ｇｃ（同図に示す抽出画像Ｇｃ２）を抽出したときに、同図の左下図に示すように、抽出画像Ｇｃ１を位置Ｂに移動させて、位置Ａに抽出画像Ｇｃ２を表示させると共に、位置Ｃ，ＤにアイコンＧｉをそれぞれ表示させる表示用画像信号Ｓｅを出力する。
【００２７】
以後、画像処理部１７は、図７の右下図、並びに図８の左上図、右上図および左下図にそれぞれ示すように、３枚目の抽出画像Ｇｃ３〜６枚目の抽出画像Ｇｃ６を抽出する度に、抽出画像ＧｃおよびアイコンＧｉを、区画Ｓ内において位置Ａ，Ｂ，Ｃ，Ｄの順序で表示位置を移動させつつ表示さると共に、位置Ｄに表示させていた抽出画像ＧｃおよびアイコンＧｉを非表示とする表示用画像信号Ｓｅを出力する。この場合、図７および図８の左上図に示すように、最初の抽出画像Ｇｃ１の抽出を開始してから、１つの区画Ｓ内に表示可能な数（この例では４つ）の抽出画像Ｇｃの抽出が終了するまでの間において、アイコンＧｉが区画Ｓ内に表示される。また、画像処理部１７は、抽出画像Ｇｃ６の抽出が終了した以後は、図８の右下図に示すように、抽出画像Ｇｃ１〜Ｇｃ６を区画Ｓ内において上記の順序で移動させつつ表示させる表示用画像信号Ｓｅを所定時間間隔で出力する。また、画像処理部１７は、ステップ７２において、各抽出画像Ｇｃ１〜Ｇｃ６についての抽出画像データを生成した際に、動画像データの生成日時およびデータサイズを示す文字列を含むデータ名を各抽出画像データに付与して抽出画像データ記憶部１８に記憶させる。
【００２８】
一方、素子駆動部１９は、画像処理部１７から出力された表示用画像信号Ｓｅに基づく駆動信号Ｓｄを光学エンジン３１に出力する。これにより、図９に示すように、一覧表示画像Ｇａ２がスクリーン３２に表示される。この場合、この一覧表示画像Ｇａ２では、例えば、区画Ｓ１，Ｓ２，Ｓ４〜Ｓ９内に静止画像データに基づく撮影画像Ｇｓ１０，Ｇｓ１１，Ｇｓ１３〜Ｇｓ１８がそれぞれ表示され、区画Ｓ３には、所定時間間隔で区画Ｓ３内における各表示位置を移動しつつ抽出画像Ｇｃ１〜Ｇｃ６のうちの４つの抽出画像Ｇｃが表示され、かつ、抽出画像Ｇｃ１〜Ｇｃ６が順々に切り替わっていくため、一覧表示された各画像が動画像データに基づく画像であるか、静止画像データに基づく画像であるかを確実かつ容易に判別させることが可能となっている。
【００２９】
次に、例えば、メモリカードスロット１４からメモリカード４を取り出して、外部の機器（例えば、デジタルカメラ）で新たに画像データを追加（または一部削除）し、そのメモリカード４に記録されている画像データに基づく各画像を一覧表示させるときには、上記と同様にして、メモリカード４をメモリカードスロット１４に挿入した後に、画像信号切替スイッチ５３、表示切替スイッチ５４およびカーソルキー５５を操作する。この際に、主制御部２３は、操作信号Ｓｏに従い、上記と同様にしてメモリカードコントローラ１５およびＪＰＥＧ／ＭＰＥＧデコーダ１６を制御して、９つの画像データをデコードした各画像信号Ｓｂ３を出力させると共に、画像処理部１７に一覧表示処理６０（図５参照）を実行させる。この際に、各画像信号Ｓｂ３の中に動画像データをデコードした信号が含まれているときには、画像処理部１７は、移動表示処理７０（図６参照）を実行する（ステップ６３）。この場合、画像処理部１７は、移動表示処理７０のステップ７１において、抽出画像データ記憶部１８を検索して、その動画像データの生成日時およびデータサイズと同じ文字列を含むデータ名の抽出画像データが記憶されているか否かを判別し、該当する抽出画像データが記憶されているときには、その抽出画像データを読み出した後に（ステップ７４）、上記したステップ７３を実行する。このため、抽出画像Ｇｃの抽出を行いつつ移動表示処理７０を実行するのと比較して短時間で各抽出画像Ｇｃが表示される。以下、主制御部２３および画像処理部１７は、画像信号切替スイッチ５３、表示切替スイッチ５４およびカーソルキー５５が操作される度に、上記した各処理を実行する。
【００３０】
このように、このテレビ１および画像再生プログラムによれば、一覧表示処理６０において、メモリカード４から読み出した画像データに基づく画像が動画像のときに、画像処理部１７に移動表示処理７０を実行させることにより、画像データに基づく画像が動画像のときには、動画像から抽出した複数の抽出画像Ｇｃを区画Ｓ内において表示位置を移動させつつ表示させることができるため、複数の画像を一覧表示させた際に、動画像データに基づく画像と、静止画像データに基づく画像とを明確に識別可能に視認させることができる。したがって、このテレビ１および画像再生プログラムによれば、一覧表示された各画像（または元画像）が動画像であるか静止画像であるかを確実かつ容易に判別させることができる。
【００３１】
また、抽出画像Ｇｃの抽出時において、抽出画像Ｇｃの元画像が動画像である旨を示すアイコンＧｉを区画Ｓ内に表示させることにより、抽出画像Ｇｃの抽出に多くの時間を要したとしても、元画像が動画像であることを確実かつ容易に認識させることができる。
【００３２】
また、移動表示処理７０の処理対象とする抽出画像データが抽出画像データ記憶部１８に記憶されているときに、画像処理部１７がその抽出画像データを読み出して移動表示処理７０を実行することにより、抽出画像Ｇｃを抽出しつつ移動表示処理７０を実行するのと比較して各抽出画像Ｇｃを短時間で表示させることができる。
【００３３】
また、動画像データの生成日時およびデータサイズの少なくとも一方を示す文字列を含むデータ名を抽出画像データに付与することにより、移動表示処理７０の処理対象とする動画像データの生成日時やデータサイズと抽出画像データのデータ名とを照合することで、その動画像データに対応する抽出画像データが抽出画像データ記憶部１８に記憶されているか否かを確実かつ容易に特定することができる。
【００３４】
なお、本発明は、上記の構成に限定されない。例えば、光学エンジン３１およびスクリーン３２を備えて表示部２０を構成した例について上記したが、ＣＲＴ、液晶表示パネルおよびプラズマディスプレイ等を表示部として採用することもできる。また、メモリカード４に記録されている画像データに基づく画像を表示させる例について上記したが、メモリカード４に限定されず、メモリ、ＣＤ、ＤＶＤおよびハードディスク等の各種の記憶素子や記録媒体に記録されている画像データに基づく画像を表示させることができる。この場合、これらの記憶素子や記録媒体は、テレビ１とは別体であってもよいし、テレビ１に内蔵してもよい。また、テレビ１に本発明を適用した例について上記したが、デジタルカメラや、ビデオカメラ、パソコン、携帯型メディアプレーヤ、携帯電話および表示部付プリンタ等の各種装置に本発明を適用することができる。また、表示部を備えていない装置に本発明を適用することもできる。
【００３５】
また、移動表示処理７０において、６枚の抽出画像Ｇｃを抽出する例について上記したが、抽出画像Ｇｃの枚数は、これに限定されず、任意に設定することができる。また、抽出の間隔も上記した１秒に限定されず任意に設定することができる。さらに、抽出画像Ｇｃの枚数および抽出の間隔のいずれか一方だけを設定して、動画像の長さ（撮影時間）に応じて抽出の間隔や抽出画像Ｇｃの枚数を画像処理部１７に自動的に設定させる構成を採用することもできる。また、抽出画像Ｇｃの抽出時において、元画像が動画像である旨を示す例えばカメラ型のアイコンＧｉを表示する例について上記したが、元画像が動画像である旨を示す文字、図形および記号、並びにこれらの組み合わせをなどをアイコンＧｉに代えて表示することもできる。さらに、上記の構成では、動画像データの記録日時およびデータサイズの両者を示す文字列を含むデータ名を抽出画像データに付与しているが、これらの少なくとも一方の文字列を含むデータ名を付与してもよいのは勿論である。
【図面の簡単な説明】
【００３６】
【図１】テレビ１の構成を示すブロック図である。
【図２】テレビ１の正面図である。
【図３】撮影画像Ｇｓ１を表示させた表示画面図である。
【図４】撮影画像Ｇｓ１〜Ｇｓ９を一覧表示させた表示画面図である。
【図５】一覧表示処理６０のフローチャートである。
【図６】移動表示処理７０のフローチャートである。
【図７】アイコンＧｉおよび抽出画像Ｇｃを表示させた表示画面図である。
【図８】抽出画像Ｇｃ１〜Ｇｃ６を表示させた表示画面図である。
【図９】撮影画像Ｇｓおよび抽出画像Ｇｃを一覧表示させた表示画面図である。
【符号の説明】
【００３７】
１  テレビ、４  メモリカード、１７  画像処理部、１８  抽出画像データ記憶部、２０  表示部、２３  主制御部、６０  一覧表示処理、７０  移動表示処理、Ｇｃ１〜Ｇｃ６  抽出画像、Ｇｉ  アイコン、Ｇｓ１〜Ｇｓ１８  撮影画像、Ｐｒ  プログラム、Ｓ１〜Ｓ９  区画
【図１】
2006222510.tif 000003
【図２】
2006222510.tif 000004
【図３】
2006222510.tif 000005
【図４】
2006222510.tif 000006
【図５】
2006222510.tif 000007
【図６】
2006222510.tif 000008
【図７】
2006222510.tif 000009
【図８】
2006222510.tif 000010
【図９】
2006222510.tif 000011